(57)【特許請求の範囲】
【請求項１】
一括して出し入れされる物品を収容するとともに少なくとも一つのＩＣタグを所定個所に備えた容器と、複数の容器を収容する収容手段と、各容器に付され且つ直近位置にあるＩＣタグだけとの間で電波を授受するために前記収容手段に装備されるアンテナと、該アンテナを介して前記各容器に付されたＩＣタグの記録情報を読取るための読み取り手段と、該読み取り手段による読み取り情報に基づいて各容器内における物品の有無を判定する制御手段と、を備えた物品の収容状態検知装置において、
前記アンテナと各容器に付されたＩＣタグとの位置関係は、前記アンテナが各容器に付された少なくとも一つのＩＣタグだけとの間で電波の授受が可能となるように設定され、
前記制御手段は、前記収容手段内における容器の向きを変更することによって前記アンテナとの間で電波授受が可能となったＩＣタグの記録情報に基づいて、各容器内の物品の有無を判定することを特徴とする物品の収容状態検知装置。
【請求項２】
一括して出し入れされる物品を収容するとともに少なくとも一つのＩＣタグを所定個所に備えた容器と、複数の容器を収容する収容手段と、各容器に付され且つ直近位置にあるＩＣタグだけとの間で電波を授受するために前記収容手段に装備されるアンテナと、該アンテナを介して前記各容器に付されたＩＣタグの記録情報を読取るための読み取り手段と、該読み取り手段による読み取り情報に基づいて各容器内における物品の有無を判定する制御手段と、を備えた物品の収容状態検知装置において、
前記アンテナと各容器に付されたＩＣタグとの位置関係は、前記アンテナが各容器に付された少なくとも一つのＩＣタグだけとの間で電波の授受が可能となるように設定され、
前記制御手段は、前記収容手段内における容器の向きを変更した場合に前記アンテナとの間で電波授受が可能となるか否かの判断結果によって、各容器内の物品の有無を判定することを特徴とする物品の収容状態検知装置。
【請求項３】
一括して出し入れされる物品を収容する容器本体、及び該容器本体の開口を開閉する蓋を備えた容器と、容器本体と蓋に夫々少なくとも一つずつ付されたＩＣタグと、複数の容器を収容する収容手段と、各容器に付され且つ直近位置にあるＩＣタグだけとの間で電波を授受するために前記収容手段に装備されるアンテナと、該アンテナを介して前記各容器に付されたＩＣタグの記録情報を読取るための読み取り手段と、該読み取り手段による読み取り情報に基づいて各容器内における物品の有無を判定する制御手段と、を備えた物品の収容状態検知装置において、
前記蓋に付されたＩＣタグは該蓋の閉止時には容器本体に付された他のＩＣタグから離間した位置にあると共に、該蓋を開放して折り畳んだ時には他のＩＣタグに近接した位置に保持されるように構成されており、
前記アンテナと各容器に付されたＩＣタグとの位置関係は、前記アンテナが各容器に夫々付されたＩＣタグのうちの電波有効距離内にある直近のＩＣタグだけとの間で電波の授受が可能となるように設定され、
前記制御手段は、前記収容手段内において容器の蓋を開放することにより蓋に固定されたＩＣタグがアンテナの直近に移動することにより前記アンテナとの間で電波授受が可能となったＩＣタグの記録情報に基づいて、各容器内の物品の有無を判定することを特徴とする物品の収容状態検知装置。
【請求項４】
一括して出し入れされる物品を収容する容器本体、及び該容器本体の開口を開閉する蓋を備えた容器と、容器本体と蓋に夫々少なくとも一つずつ付されたＩＣタグと、複数の容器を収容する収容手段と、各容器に付され且つ直近位置にあるＩＣタグだけとの間で電波を授受するために前記収容手段に装備されるアンテナと、該アンテナを介して前記各容器に付されたＩＣタグの記録情報を読取るための読み取り手段と、該読み取り手段による読み取り情報に基づいて各容器内における物品の有無を判定する制御手段と、を備えた物品の収容状態検知装置において、
前記蓋に付されたＩＣタグは該蓋の閉止時には容器本体に付された他のＩＣタグから離間した位置にあると共に、該蓋を開放して折り畳んだ時には他のＩＣタグに近接した位置に保持されるように構成されており、
前記蓋に電磁遮蔽手段を更に備え、前記電磁遮蔽手段は前記蓋の閉止時には容器本体に付された他のＩＣタグから離間した位置にあると共に、前記蓋を開放して折り畳んだ時には前記他のＩＣタグを覆う位置に保持されるように構成され、
前記アンテナと各容器に付されたＩＣタグとの位置関係は、前記アンテナが各容器に夫々付されたＩＣタグのうちの電波有効距離内にある直近のＩＣタグだけとの間で電波の授受が可能となるように設定され、
前記制御手段は、前記収容手段内において容器の蓋を開放した場合に、前記アンテナとの間で電波授受が可能となったＩＣタグの記録情報に基づいて、各容器内の物品の有無を判定することを特徴とする物品の収容状態検知装置。
【発明の詳細な説明】
【技術分野】
【０００１】
本発明は、物品の収容状態検知装置に関し、さらに詳しくは、ホルダに付されたＩＣタグの記録情報に基づいて、ホルダ内の物品の有無を判定する物品の収容状態検知装置に関するものである。
【背景技術】
【０００２】
従来から、会社、役所等のように多量の書類を保管、整理、移動する作業を日常的に行うオフィス環境では、作業を効率化するために、書類を分類して一つのホルダ単位に管理して、そのホルダを収納棚に収納している形態が多く見られる。また、店舗等では一つ以上の物品を箱に入れ、その箱に内容物の品名を表示したシール等を貼付して管理することが行われている。このような場合、利用者がホルダ内の書類や箱内の物品を取り出して棚等の元の位置に戻した場合、次の利用者は外見からホルダ内の書類や箱内の物品が存在するか否かを判断することができない場合がある。
そこでホルダにホルダ内のファイル情報を記録したＩＣタグを付してＰＣにより管理する方法が提案されている。それによると、ホルダを収容する収容棚にアンテナを備え、ホルダが収容棚に収容されると、ＩＣタグの情報をアンテナを介して受信することにより、ホルダ内のファイルを管理するものである。そして、このホルダ内のファイルを閲覧若しくは貸し出しを希望する者は、予め貸し出し中か否かをＰＣ画面等で確認して収容棚からそのホルダを取り出し、ＰＣから貸し出すファイル名を入力してＩＣタグの情報を書き換えて利用していた。またファイルを返却する場合は、ホルダを再び収容棚から取り出して、ホルダにファイルを入れて収容棚に戻し、その旨をＰＣに入力して再びＩＣタグの情報を書き換えていた。
また更に進歩したシステムとして、役所、会社等、大量の書類を管理、保管する機関、施設において、書類を整理して収納するためのファイルを人為的なミスなく正確に自動的に管理、収納するために、各ファイル毎にＩＣタグを付し、そのＩＣタグに当該ファイルの管理情報を記録してファイル管理を自動化する試みがなされている。このファイル管理システムにおいては、ファイルの貸し出し、返却の情報が自動的に履歴情報としてシステムに記録される。
【発明の開示】
【発明が解決しようとする課題】
【０００３】
しかしながら、従来のホルダ単位で管理するシステムの場合、ホルダ内のファイルを閲覧したり、貸し出したり、返却する際に、ファイルの情報をＰＣに入力してホルダに付されたＩＣタグ情報を書き換えなければならず、非常に煩雑であり、利用者の利便性の点で問題がある。
また、各ファイル毎にＩＣタグを付したシステムの場合、ファイルの管理が確実に且つ自動的に行われる利点はあるが、システムを構築するためには多くの開発期間と開発コストを必要とし、必ずしも汎用的なシステムとは言いがたい。
本発明は、かかる課題に鑑み、容器単位で物品を管理する場合、各容器に容器内の物品の有無を記録したＩＣタグを付することにより、そのＩＣタグの記録情報に基づいて容器内の物品の有無を判定することが可能な物品の収容状態検知装置を提供することを目的とする。
【課題を解決するための手段】
【０００４】
本発明はかかる課題を解決するために、請求項１は、一括して出し入れされる物品を収容するとともに少なくとも一つのＩＣタグを所定個所に備えた容器と、複数の容器を収容する収容手段と、各容器に付され且つ直近位置にあるＩＣタグだけとの間で電波を授受するために前記収容手段に装備されるアンテナと、該アンテナを介して前記各容器に付されたＩＣタグの記録情報を読取るための読み取り手段と、該読み取り手段による読み取り情報に基づいて各容器内における物品の有無を判定する制御手段と、を備えた物品の収容状態検知装置において、前記アンテナと各容器に付されたＩＣタグとの位置関係は、前記アンテナが各容器に付された少なくとも一つのＩＣタグだけとの間で電波の授受が可能となるように設定され、前記制御手段は、前記収容手段内における容器の向きを変更することによって前記アンテナとの間で電波授受が可能となったＩＣタグの記録情報に基づいて、各容器内の物品の有無を判定することを特徴とする。
本発明では、容器の異なる位置にＩＣタグを備え、ＩＣタグと収容手段に備えたアンテナとの位置関係は複数のＩＣタグを同時に読むことができない配置となっている。従って、各ＩＣタグには異なる情報を記録することが可能となる。例えば、一方ＩＣタグには容器内に物品が有るといった情報を記録し、他方のＩＣタグ容器内に物品が無いといった情報を記録することにより、容器の向きを変更することにより何れかの情報がアンテナから読み取られることになる。
請求項２は、一括して出し入れされる物品を収容するとともに少なくとも一つのＩＣタグを所定個所に備えた容器と、複数の容器を収容する収容手段と、各容器に付され且つ直近位置にあるＩＣタグだけとの間で電波を授受するために前記収容手段に装備されるアンテナと、該アンテナを介して前記各容器に付されたＩＣタグの記録情報を読取るための読み取り手段と、該読み取り手段による読み取り情報に基づいて各容器内における物品の有無を判定する制御手段と、を備えた物品の収容状態検知装置において、前記アンテナと各容器に付されたＩＣタグとの位置関係は、前記アンテナが各容器に付された少なくとも一つのＩＣタグだけとの間で電波の授受が可能となるように設定され、前記制御手段は、前記収容手段内における容器の向きを変更した場合に前記アンテナとの間で電波授受が可能となるか否かの判断結果によって、各容器内の物品の有無を判定することを特徴とする。
本発明は容器に備えるＩＣタグを削減する発明である。即ち、容器の何れか一方にのみＩＣタグを備え、他方にはＩＣタグを備えないようにして、コストの削減を図ったものである。これにより容器の向きを変えた場合、何れか一方の向きではアンテナから情報が読み取れない状態が存在することになる。
【０００５】
請求項３は、一括して出し入れされる物品を収容する容器本体、及び該容器本体の開口を開閉する蓋を備えた容器と、容器本体と蓋に夫々少なくとも一つずつ付されたＩＣタグと、複数の容器を収容する収容手段と、各容器に付され且つ直近位置にあるＩＣタグだけとの間で電波を授受するために前記収容手段に装備されるアンテナと、該アンテナを介して前記各容器に付されたＩＣタグの記録情報を読取るための読み取り手段と、該読み取り手段による読み取り情報に基づいて各容器内における物品の有無を判定する制御手段と、を備えた物品の収容状態検知装置において、前記蓋に付されたＩＣタグは該蓋の閉止時には容器本体に付された他のＩＣタグから離間した位置にあると共に、該蓋を開放して折り畳んだ時には他のＩＣタグに近接した位置に保持されるように構成されており、前記アンテナと各容器に付されたＩＣタグとの位置関係は、前記アンテナが各容器に夫々付されたＩＣタグのうちの電波有効距離内にある直近のＩＣタグだけとの間で電波の授受が可能となるように設定され、前記制御手段は、前記収容手段内において容器の蓋を開放することにより蓋に固定されたＩＣタグがアンテナの直近に移動することにより前記アンテナとの間で電波授受が可能となったＩＣタグの記録情報に基づいて、各容器内の物品の有無を判定することを特徴とする。
本発明の容器は、容器本体と、容器本体の開口を開閉するために付された折りたたみ自在の蓋を備え、容器本体と蓋側に夫々ＩＣタグを備えている。そして、ＩＣタグとアンテナとの位置関係は蓋を閉止した時と開放した時とで異なるように構成されている。即ち、蓋の閉止時には容器本体側のＩＣタグと蓋側のＩＣタグは離間した位置にあり、蓋の開放時には両ＩＣタグは接近した位置にありしかもアンテナの直近位置にある。つまり、蓋を開放した状態でアンテナを介して二つのＩＣタグの情報を読み取り可能とする。これにより、一つのＩＣタグの情報だけを得る場合と、二つのＩＣタグの情報が同時に読み取り可能な場合が存在することとなり、この二つの状態から容器内の物品の有無を判定するものである。
【０００６】
請求項４は、一括して出し入れされる物品を収容する容器本体、及び該容器本体の開口を開閉する蓋を備えた容器と、容器本体と蓋に夫々少なくとも一つずつ付されたＩＣタグと、複数の容器を収容する収容手段と、各容器に付され且つ直近位置にあるＩＣタグだけとの間で電波を授受するために前記収容手段に装備されるアンテナと、該アンテナを介して前記各容器に付されたＩＣタグの記録情報を読取るための読み取り手段と、該読み取り手段による読み取り情報に基づいて各容器内における物品の有無を判定する制御手段と、を備えた物品の収容状態検知装置において、前記蓋に付されたＩＣタグは該蓋の閉止時には容器本体に付された他のＩＣタグから離間した位置にあると共に、該蓋を開放して折り畳んだ時には他のＩＣタグに近接した位置に保持されるように構成されており、前記蓋に電磁遮蔽手段を更に備え、前記電磁遮蔽手段は前記蓋の閉止時には容器本体に付された他のＩＣタグから離間した位置にあると共に、前記蓋を開放して折り畳んだ時には前記他のＩＣタグを覆う位置に保持されるように構成され、前記アンテナと各容器に付されたＩＣタグとの位置関係は、前記アンテナが各容器に夫々付されたＩＣタグのうちの電波有効距離内にある直近のＩＣタグだけとの間で電波の授受が可能となるように設定され、前記制御手段は、前記収容手段内において容器の蓋を開放した場合に、前記アンテナとの間で電波授受が可能となったＩＣタグの記録情報に基づいて、各容器内の物品の有無を判定することを特徴とする。
本発明は容器に備えるＩＣタグを削減する発明である。即ち、容器の何れか一方にのみＩＣタグを備え、他方にはＩＣタグを備えないようにして、コストの削減を図ったものである。これにより容器の蓋を開放し、さらに向きを変えた場合、何れか一方の向きではアンテナから情報が読み取れない状態が存在することになる。
また、蓋に取り付けたＩＣタグと同じ面に電磁遮蔽手段（例えばアルミ箔のような金属材料等）を取り付け、しかもその位置が蓋を折りたたんで開放したときに容器本体に取り付けたＩＣタグを覆う位置にする。その結果、蓋を開放したときに電磁遮蔽手段が容器本体に取り付けたＩＣタグを覆うようになり、容器本体に取り付けたＩＣタグとアンテナとの電波授受が不可能となり、アンテナからは蓋に取り付けたＩＣタグからの情報のみが受信可能となる。また、蓋に取り付けたＩＣタグを省略した場合においても、蓋を開放することにより、容器本体に取り付けたＩＣタグとアンテナとの電波授受が不可能となり、アンテナと全てのＩＣタグとの電波授受が不可能となる。
【発明の効果】
【０００８】
以上記載のごとく請求項１の発明によれば、アンテナと各容器に付されたＩＣタグとの位置関係を、アンテナが各容器に付された一つのＩＣタグだけとの間で電波の授受が可能となるように設定し、容器の向きを変更することによってアンテナとの間で電波授受が可能となったＩＣタグの記録情報に基づいて、夫々の容器内の物品の有無を判定するようにしたので、容器の外部から容器内が確認できなくとも、容器内の物品の有無を容易に確認することができる。
また請求項２では、容器に付されたＩＣタグの情報が読めるか否かにより、容器内の物品の有無を確認するので、容器に付するＩＣタグを削減することができ、コストダウンを図ることができる。
また請求項３では、容器に蓋を備え、その蓋にＩＣタグを付すことにより、蓋の開放前と後でＩＣタグの情報を変更することにより容器内の物品の有無を判定するので、容器の向きをその都度変更する必要が無くなり、利便性を高めることができる。
また請求項４では、容器に蓋を備え、且つ容器に付されたＩＣタグの情報が読めるか否かにより、容器内の物品の有無を確認するので、容器に付するＩＣタグを削減することができ、コストダウンを図ることができる。また、蓋に電磁遮蔽手段を備えて、蓋を開放したときに容器本体のＩＣタグとアンテナとの電波授受を不可能とするので、容器の向きを変更することなく、容器内の物品の有無を確実に判定することができる。
【発明を実施するための最良の形態】
【０００９】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明の実施形態のＩＣタグ用リーダライタ（読み取り手段）の構成を示すブロック図である。このＩＣタグ用リーダライタ１００は、リーダライタ１００との間でデータの授受を行ってシステム全体を制御するコンピュータＰＣ（制御手段）５０によって制御される。リーダライタ１００は、外部のＰＣ５０とのデータの通信プロトコルを司る送受信装置１と、リーダライタ１００全体の動作を制御する制御装置２と、制御装置２を動作させる手順を記録したファームウェアと読み取ったデータを格納するメモリ装置３と、制御装置２からのデータを搬送波に乗せて変調する変調器４と、操作コマンドを入力する入力装置５と、制御装置２により制御された情報を表示する表示装置６と、制御装置２からの交流信号である電力供給用信号と変調器４からの書き込みコマンドを電力増幅する電力増幅器７と、ループアンテナ９から受信した搬送波から２値化データに変換する検波復調器８と、図示しないＩＣタグとの電力用搬送波とデータの授受をするループアンテナ９とを備えて構成されている。
次に、本構成によるリーダライタ１００の動作を説明する前に、ＩＣタグの構成を先に説明しておく。図２は、本発明の実施形態のＩＣタグの構成を示すブロック図である。本実施形態のＩＣタグ２００は、リーダライタ１００からの電力用搬送波によりデータの授受をするループアンテナ２０と、書き込みコマンド読み出しコマンドを生成する送受信回路２１と、ループアンテナ２０からの電力用搬送波を受け、それを整流して直流電力に変換する電力生成回路２２と、制御用ファームウェアとデータの記憶を司るメモリ装置２３と、制御回路２６からの送信コマンドに搬送波を乗せて変調する変調器２４と、送受信回路２１からの搬送波データから２値化データに変換する検波器２５と、ＩＣタグ２００の全体の動作を制御する制御回路２６から構成されている。
【００１０】
次に、図１と図２を併せて参照してそれぞれ単独の動作について説明する。リーダライタ１００は、図示しない電源が入れられると制御装置２のイニシャル動作後、メモリ装置３に記憶されたプログラムに従い動作を開始する。まず、初期化が行われる。次に、制御装置２は、ＩＣタグ２００に供給する電力供給用信号と、ポーリング信号を交互に電力増幅器７から送信する。その信号は、ループアンテナ９から電磁波として外部に放射される。次に、ＩＣタグ２００がリーダライタ１００に近接すると、ループアンテナ２０が電力供給用信号を受信し、電力生成回路２２によりその搬送波を整流して直流電力に変換して、タグ内の全ての回路に供給する。電力を供給されて制御回路２６が駆動すると、メモリ装置２３に格納されたプログラムに従って、制御を開始する。
次に、制御回路２６は、まず送受信回路２１からコマンドを検波器２５で復調して２値化信号に変換し、そのコマンドを解析する。その結果自分が呼び出されていることを認識すると、レスポンスを変調器２４により変調して送受信回路２１を介してループアンテナ２０から送信する。このレスポンスをリーダライタ１００がループアンテナ９で受信して、検波復調器８で２値化コードに変換し、制御回路２により解析してＩＣタグ２００が規格に合致したＩＤカードであると認識する。それにより、以後リーダライタ１００とＩＣタグ２００の間でポーリングが行われる。
【００１１】
図３は本発明の実施形態に係る物品の収容状態検知装置の構成図である。この物品の収容状態検知装置３００は、ホルダ（容器）３６に貼付されたＩＣタグ２００に記録されている管理情報を読み取るためのアンテナ９を有する収容棚（収容手段）４０と、ＩＣタグ２００に対して管理情報の読み取りを行うリーダライタ（読み取り手段）１００と、このリーダライタ１００を制御するＰＣ（制御手段）５０とを備えて構成され、収容棚４０内に備えられたアンテナ９、９ａとリーダライタ１００はケーブル４４により接続されている。また、この例では複数のホルダ３６は収容棚４０の上下を区切る棚４１の上部に収容され、ホルダ３６の背面（正面）に貼付されたＩＣタグ２００に記録されている情報を収容棚４０の背面に備えられたアンテナ９により読み取る構成となっている。また下部には複数のファイル４３が収納されている。そしてファイル４３の側面には図示しないＩＣタグが貼付され、アンテナ９ａにより情報が読み書きできる構成となっている。また扉４５に備えられた鍵４６により施開錠が可能な構成としても構わない。尚、読み取り手段としてリーダライタ１００を使用したが、ＩＣタグ２００との交信が可能でＩＣタグ内部に記録されている情報が読み出せれば読み取り専用のリーダでも構わない。またＰＣ５０が収容棚３６の鍵４６を直接制御しても構わない。
このように、本発明の物品の収容状態検知装置は、一括して出し入れされる書類を収容するとともに少なくとも一つのＩＣタグ２００を所定個所に備えたホルダ３６と、複数のホルダ３６を収容する収容棚４０と、各ホルダに付され且つ直近位置（電波有効範囲内）にあるＩＣタグだけとの間で電波を授受するために収容棚４０に装備されるアンテナ９と、このアンテナ９を介してホルダ３６に付されたＩＣタグ２００の記録情報を読取るためのリーダライタ１００と、このリーダライタ１００による読み取り情報に基づいて各ホルダ内における書類の有無を判定するＰＣ５０とを備えている。そしてアンテナ９と各ホルダに付されたＩＣタグ２００との位置関係は、アンテナ９が各ホルダに付された少なくとも一つのＩＣタグだけとの間で電波の授受が可能となるように設定され、ＰＣ５０は、収容棚４０内におけるホルダ３６の向きを変更することによって、アンテナ９との間で電波授受が可能となったＩＣタグの記録情報に基づいて、各ホルダ内の書類の有無を判定することを特徴としている。
【００１２】
図４は本発明の第１の実施形態に係る物品の収容状態検知装置３００の動作を説明するための部分構成図である。この図では、収容棚４０はアンテナ９が備えられた背面部分のみを描き他の部分は省略している。また、ホルダ内には物品として書類を例にとり描いているが、他の物でも構わない。本実施形態では、書類３５を収容するホルダ３６と、ホルダ３６の前面３７（前）に付されたＩＣタグ２００と、ホルダ３６の背面３８（後）に付されたＩＣタグ２００ａと、収容棚４０の背面に備えられたアンテナ９とを備えて構成されている。
つぎに本発明の実施形態の動作について説明する。以下、本発明の実施形態では読み取り手段としてリーダライタ１００を読取専用として使用するものとして説明する。尚、本実施形態では、ホルダ３６内の書類３５を貸し出すときは一括して貸し出すこととする。図４（ａ）はホルダ３６内に書類３５が収容されている場合のホルダ３６の収容方向を表す図である。図４（ｂ）はホルダ３６内に書類３５が収容されていない場合のホルダ３６の収容方向を表す図である。即ち、予めＩＣタグ２００には、例えば「貸し出し中」の情報を記録しておき、ＩＣタグ２００ａには「中味有り」の情報を記録しておく。まず利用者はリーダライタ１００に認証用のＩＤカード（社員証等）を近接して収容棚４０の鍵４６を開錠する。このときホルダ３６は図４（ａ）の向きに収容棚４０に収容されているので、アンテナ９からはＩＣタグ２００ａの情報「中味有り」がリーダライタ１００から読取られている。その状態から利用者が収容棚４０からホルダ３６を取り出す。この状態ではＩＣタグ２００ａの情報が読み取られなくなるので、ＰＣ５０はホルダ３６を収容棚４０から取り出されたと認識する。そして利用者がホルダ３６から書類３５を一括して取り出し、ホルダ３６の向きを反対側（アンテナ９に近いほうにＩＣタグ２００を向ける）に向けて収容する。するとアンテナ９からはＩＣタグ２００の情報「貸し出し中」がリーダライタ１００から読取られる。これにより次の利用者がホルダ３６の外部から内部が確認できなくとも、ＰＣ５０のモニタによりホルダ３６内の書類３５の有無を容易に確認することができる。
【００１３】
図５は本発明の第２の実施形態に係る物品の収容状態検知装置３００の動作を説明するための部分構成図である。同じ構成要素には同じ参照番号を付して説明する。この図では、収容棚４０はアンテナ９が備えられた背面部分のみを描き他の部分は省略している。また、ホルダ内には物品として書類を例にとり描いているが、他の物でも構わない。本実施形態では、書類３５を収容するホルダ３６と、ホルダ３６の背面３８（後）に付されたＩＣタグ２００ａと、収容棚４０の背面に備えられたアンテナ９とを備えて構成されている。従って、図５が図４と異なる点は、ホルダ３６の前面３７（前）に付されたＩＣタグ２００を省略した点である。
つぎに本発明の実施形態の動作について説明する。以下、本発明の実施形態では読み取り手段としてリーダライタ１００を読取専用として使用するものとして説明する。尚、本実施形態では、ホルダ３６内の書類３５を貸し出すときは一括して貸し出すこととする。図５（ａ）はホルダ３６内に書類３５が収容されている場合のホルダ３６の収容方向を表す図である。図５（ｂ）はホルダ３６内に書類３５が収容されていない場合のホルダ３６の収容方向を表す図である。即ち、予めＩＣタグ２００ａには「中味有り」の情報を記録しておく。まず利用者はリーダライタ１００に認証用のＩＤカード（社員証等）を近接して収容棚４０の鍵４６を開錠する。このときホルダ３６は図５（ａ）の向きに収容棚４０に収容されているので、アンテナ９からはＩＣタグ２００ａの情報「中味有り」がリーダライタ１００から読取られている。その状態から利用者が収容棚４０からホルダ３６を取り出す。この状態ではＩＣタグ２００ａの情報が読み取られなくなるので、ＰＣ５０はホルダ３６を収容棚４０から取り出されたと認識する。そして利用者がホルダ３６から書類３５を一括して取り出し、ホルダ３６の向きを反対側（アンテナ９に近いほうに前面３７を向ける）に向けて収容する。するとアンテナ９からは何も読取られないためＰＣ５０は例えば、所定の時間経過後、アンテナ９からは何も読取られない状態を検知してホルダ３６を「貸し出し中」の状態とする。これによりホルダ３６に付するＩＣタグを一つ削減することができ、コストダウンを図ることができる。
以上のように、本実施形態では、ＰＣ５０が、収容棚４０内におけるホルダ３６の向きを変更した場合に、アンテナ９との間で電波授受が可能となるか否かの判断結果によって、各ホルダ内の書類の有無を判定することを特徴としている。
【００１４】
図６は本発明の第３の実施形態に係る物品の収容状態検知装置３００の動作を説明するための部分構成図である。同じ構成要素には同じ参照番号を付して説明する。この図では、収容棚４０はアンテナ９が備えられた背面部分のみを描き他の部分は省略している。また、ホルダ内には物品として書類を例にとり描いているが、他の物でも構わない。本実施形態では、一括して出し入れされる書類（物品）３５を収容するホルダ本体（容器本体）３６ａ、及びホルダ本体３６ａの開口を開閉する蓋３６ｂを備えたホルダ３６と、ホルダ本体３６ａと蓋３６ｂに夫々少なくとも一つずつ付されたＩＣタグ２００ａ，２００と、複数のホルダ（容器）３６を収容する収容棚（収容手段）４０と、各ホルダに付され且つ直近位置（電波有効範囲内）にあるＩＣタグだけとの間で電波を授受するために収容棚４０に装備されるアンテナ９と、このアンテナ９を介してＩＣタグ２００ａ，２００の記録情報を読取るためのリーダライタ（読み取り手段）１００と、リーダライタ１００による読み取り情報に基づいて各ホルダ内における書類３５の有無を判定するＰＣ（制御手段）５０と、を備えて構成されている。
【００１５】
次に、本発明の実施形態の動作について説明する。以下、本発明の実施形態では読み取り手段としてリーダライタ１００を読取専用として使用するものとして説明する。尚、本実施形態では、ホルダ３６内の書類３５を貸し出すときは一括して全てを貸し出す場合を前提としている。図６（ａ）はホルダ本体３６ａ内に書類３５が収容され、蓋３６ｂが閉められている場合のホルダ３６の収容方向を表す図である。図６（ｂ）はホルダ３６内に書類３５が収容されていない場合で、且つ蓋３６ｂが折りたたみ線５０から折りたたまれた状態のホルダ３６の収容方向を表す図である。即ち、予めＩＣタグ２００には、例えば「貸し出し中」の情報を記録しておき、ＩＣタグ２００ａには「中味有り」の情報を記録しておく。まず利用者はリーダライタ１００に認証用のＩＤカード（社員証等）を近接して収容棚４０の鍵４６を開錠する。このときホルダ３６は図６（ａ）の向きに収容棚４０に収容されているので、アンテナ９からはＩＣタグ２００ａの情報「中味有り」がリーダライタ１００から読取られている。その状態から利用者が収容棚４０からホルダ３６を取り出す。この状態ではＩＣタグ２００ａの情報が読み取られなくなるので、ＰＣ５０はホルダ３６を収容棚４０から取り出されたと認識する。そして利用者が蓋３６ｂを開けてＩＣタグ２００がＩＣタグ２００ａと同じ方向になるようにする。そしてホルダ本体３６ａから書類３５を一括して取り出し、ホルダ３６の向きを取り出した向きと同じ向きで収容する。するとアンテナ９からはＩＣタグ２００の情報「貸し出し中」とＩＣタグ２００ａの情報「中味有り」が読取られる。ＰＣ５０はこの二つの情報が読み取られたことにより、ホルダ３６内の書類が「貸し出し中」であることを認識する。これによりホルダ３６の向きをその都度変更する必要が無くなり、利便性を高めることができる。
尚、本実施形態ではホルダ３６を一旦収容棚４０から取り出してから再び収容棚４０に戻すようにしているが、収容棚４０から取り出さずに蓋３６ｂだけを開けて書類３５を取り出すようにしても良い。
このように本実施形態では、蓋３６ｂに付されたＩＣタグ２００は蓋３６ｂの閉止時にはホルダ本体３６ａに付された他のＩＣタグ２００ａから離間した位置にあると共に、蓋３６ｂを開放して折り畳んだ時には他のＩＣタグ２００ａに近接した位置に保持されるように構成されており、アンテナ９と各ホルダに付されたＩＣタグとの位置関係は、アンテナ９が各ホルダに夫々付されたＩＣタグのうちの電波有効距離内にある直近のＩＣタグだけとの間で電波の授受が可能となるように設定され、ＰＣ５０は、収容棚４０内においてホルダ３６の蓋３６ｂを開放することにより蓋３６ｂに固定されたＩＣタグ２００がアンテナ９の直近に移動することにより、アンテナ９との間で電波授受が可能となったＩＣタグの記録情報に基づいて、各ホルダ内の書類の有無を判定することを特徴としている。
【００１６】
図７は本発明の第４の実施形態に係る物品の収容状態検知装置３００の動作を説明するための部分構成図である。同じ構成要素には同じ参照番号を付して説明する。この図では、収容棚４０はアンテナ９が備えられた背面部分のみを描き他の部分は省略している。また、ホルダ内には物品として書類を例にとり描いているが、他の物でも構わない。本実施形態では、一括して出し入れされる書類（物品）３５を収容するホルダ本体（容器本体）３６ａ、及びホルダ本体３６ａの開口を開閉する蓋３６ｂを備えたホルダ３６と、ホルダ本体３６ａに付されたＩＣタグ２００ａと、複数のホルダ（容器）３６を収容する収容棚（収容手段）４０と、各ホルダに付され且つ直近位置にあるＩＣタグだけとの間で電波を授受するために収容棚４０に装備されるアンテナ９と、このアンテナ９を介してＩＣタグ２００ａの記録情報を読取るためのリーダライタ（読み取り手段）１００と、リーダライタ１００による読み取り情報に基づいて各ホルダ内における書類３５の有無を判定するＰＣ（制御手段）５０と、を備えて構成されている。図７が図６と異なる点は、蓋３６ｂに付したＩＣタグ２００を省略した点である。
【００１７】
つぎに本発明の実施形態の動作について説明する。以下、本発明の実施形態では読み取り手段としてリーダライタ１００を読取専用として使用するものとして説明する。尚、本実施形態では、ホルダ３６内の書類３５を貸し出すときは一括して貸し出すこととする。図７（ａ）はホルダ本体３６ａ内に書類３５が収容され、蓋３６ｂが閉められている場合のホルダ３６の収容方向を表す図である。図７（ｂ）はホルダ本体３６ａ内に書類３５が収容されていない場合で、且つ蓋３６ｂが折りたたみ線５０から折りたたまれた状態のホルダ３６の収容方向を表す図である。即ち、予めＩＣタグ２００ａには「中味有り」の情報を記録しておく。まず利用者はリーダライタ１００に認証用のＩＤカード（社員証等）を近接して収容棚４０の鍵４６を開錠する。このときホルダ３６は図７（ａ）の向きに収容棚４０に収容されているので、アンテナ９からはＩＣタグ２００ａの情報「中味有り」がリーダライタ１００から読取られている。その状態から利用者が収容棚４０からホルダ３６を取り出す。この状態ではＩＣタグ２００ａの情報が読み取られなくなるので、ＰＣ５０はホルダ３６を収容棚４０から取り出されたと認識する。そして利用者が蓋３６ｂを開け、ホルダ本体３６ａから書類３５を一括して取り出し、ホルダ３６の向きを取り出した向きと反対側（アンテナ９に近いほうに前面３７を向ける）に向けて収容する。するとアンテナ９からは何も読取られないためＰＣ５０は例えば、所定の時間経過後、アンテナ９からは何も読取られない状態を検知してホルダ３６を「貸し出し中」の状態とする。これによりホルダ３６に付するＩＣタグを一つ削減することができ、コストダウンを図ることができる。
このように本実施形態では、ＰＣ５０は、収容棚４０内においてホルダ３６の蓋３６ｂを開放し且つアンテナ９に対するホルダ３６の向きを変更した場合に、アンテナ９との間で電波授受が可能となるか否かの判断結果によって、各ホルダ内の書類の有無を判定することを特徴としている。
【００１８】
図８は本発明の第５の実施形態に係る物品の収容状態検知装置３００の動作を説明するための部分構成図である。同じ構成要素には同じ参照番号を付して説明する。この図では、収容棚４０はアンテナ９が備えられた背面部分のみを描き他の部分は省略している。また、ホルダ内には物品として書類を例にとり描いているが、他の物でも構わない。図８が図６と異なる点は、蓋３６ｂにアルミ箔（電磁遮蔽手段）３９を備えた点である。本実施形態では、蓋３６ｂに付されたＩＣタグ２００とアルミ箔３９は蓋３６ｂの閉止時にはホルダ本体３６ａに付された他のＩＣタグ２００ａから離間した位置にあると共に、蓋３６ｂを開放して折り畳んだ時にはアルミ箔３９が他のＩＣタグ２００ａ覆うように保持され、ＩＣタグ２００はＩＣタグ２００ａに近接した位置に保持されるように構成されている。また、アンテナ９と各ホルダに付されたＩＣタグとの位置関係は、アンテナ９が各ホルダに夫々付されたＩＣタグのうちの電波有効距離内にある直近のＩＣタグだけとの間で電波の授受が可能となるように設定され、ＰＣ５０は、収容棚４０内においてホルダ３６の蓋３６ｂを開放することにより、蓋３６ｂに固定されたＩＣタグ２００がアンテナ９の直近に移動することにより、アンテナ９との間で電波授受が可能となったＩＣタグ２００の記録情報に基づいて、各ホルダ内の書類の有無を判定することを特徴としている。
【００１９】
図９は本発明の第６の実施形態に係る物品の収容状態検知装置３００の動作を説明するための部分構成図である。同じ構成要素には同じ参照番号を付して説明する。この図では、収容棚４０はアンテナ９が備えられた背面部分のみを描き他の部分は省略している。また、ホルダ内には物品として書類を例にとり描いているが、他の物でも構わない。図９が図７と異なる点は、蓋３６ｂにアルミ箔（電磁遮蔽手段）３９を備え、ＩＣタグ２００を省略した点である。本実施形態では、蓋３６ｂに付されたアルミ箔３９は蓋３６ｂの閉止時にはホルダ本体３６ａに付された他のＩＣタグ２００ａから離間した位置にあると共に、蓋３６ｂを開放して折り畳んだ時にはアルミ箔３９が他のＩＣタグ２００ａを覆うように保持されるように構成されている。また、アンテナ９と各ホルダに付されたＩＣタグとの位置関係は、アンテナ９が各ホルダに夫々付されたＩＣタグのうちの電波有効距離内にある直近のＩＣタグだけとの間で電波の授受が可能となるように設定され、ＰＣ５０は、収容棚４０内においてホルダ３６の蓋３６ｂを開放することにより、蓋３６ｂに固定されたアルミ箔３９がＩＣタグ２００ａを覆うことにより、アンテナ９との間でＩＣタグ２００ａと電波授受が不可能となり、これにより各ホルダ内の書類の有無を判定することを特徴としている。
【００２０】
図１０は本発明の第７の実施形態に係る物品の収容状態検知装置３５０の動作を説明するための部分構成図である。同じ構成要素には同じ参照番号を付して説明する。この収容状態検知装置３５０は、一括して出し入れされる書類（物品）３５を収容するとともに少なくとも一つのＩＣタグ２００を所定個所に備えたホルダ（容器）３６と、複数のホルダ３６を収容する収容棚（収容手段）４０と、各ホルダ３６に付され且つ直近位置（電波有効範囲内）にあるＩＣタグだけとの間で電波を授受するために収容棚４０に装備されるアンテナ９と、ホルダ３６を含む書類３５の重量を測定する秤（重量計測手段）５１と、各ホルダ３６に付されたＩＣタグ２００との間で電波を授受するために秤５１に装備される計量器アンテナ５２と、この計量器アンテナ５２を介して各ホルダ３６に付されたＩＣタグ２００に物品の有無情報を記録するリーダライタ（書き込み手段）１００と、秤５１による計測結果に基づいて各ホルダ３６内における書類３５の有無を判定するＰＣ（制御手段）５０とを備えて構成される。
【００２１】
次に本実施形態の物品の収容状態検知装置３５０の動作について説明する。尚、本実施形態では、ホルダ３６内の書類３５を貸し出すときは一括して貸し出すこととする。図１０（ａ）はホルダ３６内に書類３５が収容されている場合を表す図である。図１０（ｂ）はホルダ３６内に書類３５が収容されていない場合を表す図である。まず書類３５を貸し出す動作から説明する。利用者はリーダライタ１００に認証用のＩＤカード（社員証等）を近接して収容棚４０の鍵４６を開錠する。このときホルダ３６はＩＣタグ２００の面を収容棚４０のアンテナ９側に向けて収容されているので、アンテナ９からはＩＣタグ２００の情報「中味有り」がリーダライタ１００から読取られている。その状態から利用者が収容棚４０からホルダ３６を取り出す。この状態ではＩＣタグ２００の情報が読み取られなくなるので、ＰＣ５０はホルダ３６を収容棚４０から取り出されたと認識する。そして利用者がホルダ３６から書類３５を一括して取り出し、図１０（ｂ）のように空になったホルダ３６を秤５１に載せる。すると計量器アンテナ５１からケーブル５５を介してＰＣ５０にホルダ３６の重量情報が送られる。ＰＣ５０はこの情報からホルダ３６内の書類が貸出中であると判定して、リーダライタ１００に対して「貸し出し中」の情報を送り、計量器アンテナ５１を介してＩＣタグ２００にこの情報を記録する。そして利用者はホルダ３６を収容棚４０に収容する。このときホルダ３６はＩＣタグ２００の面を収容棚４０のアンテナ９側に向けて収容されるので、アンテナ９からはＩＣタグ２００の情報「貸し出し中」がリーダライタ１００から読取られる。
【００２２】
次に書類３５を返却する動作について説明する。利用者はリーダライタ１００に認証用のＩＤカード（社員証等）を近接して収容棚４０の鍵４６を開錠する。このときホルダ３６はＩＣタグ２００の面を収容棚４０のアンテナ９側に向けて収容されているので、アンテナ９からはＩＣタグ２００の情報「貸し出し中」がリーダライタ１００から読取られている。その状態から利用者が収容棚４０からホルダ３６を取り出す。この状態ではＩＣタグ２００の情報が読み取られなくなるので、ＰＣ５０はホルダ３６を収容棚４０から取り出されたと認識する。そして利用者がホルダ３６に書類３５を一括して返却し、図１０（ａ）のように書類が収容されたホルダ３６を秤５１に載せる。すると計量器アンテナ５１からケーブル５５を介してＰＣ５０にホルダ３６の重量情報が送られる。ＰＣ５０はこの情報からホルダ３６内に書類が収容されていると判定して、リーダライタ１００に対して「中味有り」の情報を送り、計量器アンテナ５１を介してＩＣタグ２００にこの情報を記録する。そして利用者はホルダ３６を収容棚４０に収容する。このときホルダ３６はＩＣタグ２００の面を収容棚４０のアンテナ９側に向けて収容されるので、アンテナ９からはＩＣタグ２００の情報「中味有り」がリーダライタ１００から読取られる。
このように本実施形態は、計量器アンテナ５１は、秤５１にホルダ３６を搭載した際に、計量器アンテナ５１がホルダ３６に付されたＩＣタグ２００との間で電波の授受が可能となるように設定され、ＰＣ５０は、秤５１が取得したホルダ３６に関する重量情報に基づいてホルダ３６内の書類３５の有無を判定し、この判定結果に基づいて書類３５の有無情報をホルダ３６に付されたＩＣタグ２００に記録することにより、収容棚４０にホルダ３６が収容された場合、ＩＣタグ２００に記録された書類３５の有無情報をアンテナ９を介してリーダライタ１００により読取ることでホルダ３６内の書類３５の有無を判定するものである。
尚、ホルダ３６内に書類３５が収容されている状態で秤５１の情報をＩＣタグ２００に記録した後、ホルダ３６内の書類３５が不正に取り出されても収納棚４０はそれを検出することができない。このような不正行為を防止するために、ホルダ３６に鍵付の蓋を設け、書類３５がホルダ３６内にあるときは鍵を施錠するようにすることもできる。
【図面の簡単な説明】
【００２３】
【図１】本発明の実施形態のＩＣタグ用リーダライタの構成を示すブロック図である。
【図２】本発明のＩＣタグの構成を示すブロック図である。
【図３】本発明の実施形態に係る物品の収容状態検知装置の構成図である。
【図４】本発明の第１の実施形態に係る物品の収容状態検知装置３００の動作を説明するための部分構成図である。
【図５】本発明の第２の実施形態に係る物品の収容状態検知装置３００の動作を説明するための部分構成図である。
【図６】本発明の第３の実施形態に係る物品の収容状態検知装置３００の動作を説明するための部分構成図である。
【図７】本発明の第４の実施形態に係る物品の収容状態検知装置３００の動作を説明するための部分構成図である。
【図８】本発明の第５の実施形態に係る物品の収容状態検知装置３００の動作を説明するための部分構成図である。
【図９】本発明の第６の実施形態に係る物品の収容状態検知装置３００の動作を説明するための部分構成図である。
【図１０】本発明の第７の実施形態に係る物品の収容状態検知装置３５０の動作を説明するための部分構成図である。
【符号の説明】
【００２４】
９  アンテナ、３５  書類、３６  ホルダ、４０  収容棚、５０  ＰＣ、５１  秤、１００  リーダライタ、２００、２００ａ  ＩＣタグ
【図１】
0004653420.tif 000002
【図２】
0004653420.tif 000003
【図３】
0004653420.tif 000004
【図４】
0004653420.tif 000005
【図５】
0004653420.tif 000006
【図６】
0004653420.tif 000007
【図７】
0004653420.tif 000008
【図８】
0004653420.tif 000009
【図９】
0004653420.tif 000010
【図１０】
0004653420.tif 000011